(57)【要約】【課題】表示媒体を封止したパネルの観察側面の外側にカラーフィルターを配置した構成のカラー表示型情報表示用パネルにおける問題点を解消して、斜め方向から見たときに生じる混色の問題を解決するとともに、外部環境からの水分進入を十分に抑制することができるカラー表示型情報表示用パネルを提供する。【解決手段】表示媒体を電気的に駆動する方式のカラー表示型情報表示用パネルにおいて、観察側カラーフィルター基板を、パネルの内側となる第１の透明シート２１とパネルの外側となる第２の透明シート２４との間に、少なくとも隣接する他色カラーフィルター間にスペースを設けて形成したカラーフィルター（１１Ｒ、１１Ｇ、１１ＢＬ）を挟んだ構造の積層基板とし、第１の透明シートの厚さを１２５μｍ以下とするとともに、第１の透明シートからパネルの外側となる層に水分バリア機能層２３を少なくとも１層設けた。【選択図】図４
2011095339.tif 000002
【特許請求の範囲】
【請求項１】
情報表示領域にカラーフィルターが形成された観察側カラーフィルター基板と、背面側基板とを対向配置した基板間空間の情報表示領域に表示媒体を封入し、前記表示媒体を電気的に駆動させて表示した情報をカラーフィルターを通してカラー認識できるようにしたカラー表示型情報表示用パネルにおいて、
前記観察側カラーフィルター基板を、パネルの内側となる第１の透明シートとパネルの外側となる第２の透明シートとの間に、少なくとも隣接する他色カラーフィルター間にスペースを設けて形成したカラーフィルターを挟んだ構造の積層基板とし、前記第１の透明シートの厚さを１２５μｍ以下とするとともに、前記第１の透明シートからパネルの外側となる層に水分バリア機能層を少なくとも１層設けたことを特徴とするカラー表示型情報表示用パネル。
【請求項２】
前記観察側カラーフィルター基板が、前記第１の透明シートまたは前記第２の透明シートのいずれかにカラーフィルターを形成した後に、透明な粘着材または透明な接着材または透明な熱融着材を介して貼り合わされた積層基板であることを特徴とする請求項１に記載のカラー表示型情報表示用パネル。
【請求項３】
前記第２の透明シートがガラスシートであって、このガラスシートが、少なくとも前記第１の透明シートの外側に設けられる水分バリア機能層であることを特徴とする請求項１または２に記載のカラー表示型情報表示用パネル。
【請求項４】
前記水分バリア機能層が、組成式ＳｉＯｘで示される酸化ケイ素系化合物の透明薄膜または金属酸化物の透明薄膜であって、前記第１の透明シートの外側面または前記第２の透明シートの少なくとも一方の面に配置されていることを特徴とする請求項１〜３のいずれか１項に記載のカラー表示型情報表示用パネル。
【請求項５】
前記水分バリア機能層である組成式ＳｉＯｘで示される酸化ケイ素系化合物の透明薄膜または金属酸化物の透明薄膜が、前記第１の透明シートの外側面に、厚さ１μｍ以下で配置されていることを特徴とする請求項４に記載のカラー表示型情報表示用パネル。
【請求項６】
前記第１の透明シートの材料が、ポリエチレンテレフタレート（ＰＥＴ）、ポリエチレンナフタレート（ＰＥＮ）、トリアセチルセルロース（ＴＡＣ）、ポリカーボネート（ＰＣ）、アクリル系樹脂、ガラスフィルムのいずれかであることを特徴とする請求項１に記載のカラー表示型情報表示用パネル。
【請求項７】
前記カラーフィルターを、三原色三種類のカラーフィルターまたは三原色と透明無色四種類のカラーフィルターのいずれかにするとともに、前記表示媒体を、帯電性白色粒子を含んだ白色粒子群として構成した白色表示媒体および前記白色粒子とは反対の帯電極性を示す帯電性黒色粒子を含んだ黒色粒子群として構成した黒色表示媒体で構成したことを特徴とする請求項１〜６のいずれか１項に記載のカラー表示型情報表示用パネル。
【発明の詳細な説明】
【技術分野】
【０００１】
本発明は、情報表示領域にカラーフィルターが形成された観察側カラーフィルター基板と、背面側基板とを対向配置した基板間空間の情報表示領域に表示媒体を封入し、前記表示媒体を電気的に駆動させて表示した情報をカラーフィルターを通してカラー認識できるようにしたカラー表示型情報表示用パネルに関するものである。
【背景技術】
【０００２】
従来の液晶表示装置（ＬＣＤ）に代わる情報表示装置として、帯電性粒子を気体中で移動さる方式や帯電性粒子を液体中で移動させる方式（電気泳動方式）や、２色に構成された帯電性粒子を気体中や液体中で回転させる２色粒子回転方式等、表示媒体とする粒子からの反射光を視認する技術を用いて、紙に描かれたものを見るような視認性が得られる情報表示装置が提案されている。これらの技術は、ＬＣＤと比較すると、通常の印刷物に近い広い視野角が得られることや表示メモリー性があることから表示を書換えるときにだけ電源供給すればよい低消費電力型にできることなど、従来のＬＣＤに比べてメリットがあることから、次世代の安価な情報表示装置に使用可能な技術として考えられており、携帯端末用情報表示装置、電子ペーパー型情報表示装置等への展開が期待されている。特に最近では、帯電性粒子を分散粒子として分散液とともにマイクロカプセルに封入し、これを対向する基板間に配置した構成の帯電粒子電気泳動方式や、帯電性粒子を含んだ粒子群として構成した表示媒体を対向する基板間の気体空間に配置した構成の帯電粒子気体中移動方式が提案され、期待が寄せられている。
【０００３】
また、前記情報表示用パネルにおいて、帯電性白色粒子を有する粒子群として構成した白色表示媒体と、前記帯電性白色粒子とは反対の帯電極性を有する帯電性黒色粒子を有する粒子群として構成した黒色表示媒体とを用いて、観察側パネル基板に設けた各色のカラーフィルターとの協働によってカラー表示をできるようにしたカラー表示型情報表示用パネルが知られ、カラーフィルターをパネル基板の外側に配置するカラー表示型情報表示用パネルも知られている（例えば、特許文献１参照）。
【０００４】
観察側パネル基板の外側に各色のカラーフィルターを配置する場合において、各色のカラーフィルターを画素に対応して、画素よりも小面積のカラーフィルターとして配置したカラー表示型情報表示用パネルも知られている（例えば、特許文献２参照）。
【先行技術文献】
【特許文献】
【０００５】
【特許文献１】特開２００７−３２２７８４号公報
【特許文献２】特開２００８−８３５２１号公報
【発明の概要】
【発明が解決しようとする課題】
【０００６】
上述した特許文献１のカラーフィルターを用いた情報表示用パネルでは、透明電極付き透明基板の電極が形成された面とは反対の面にカラーフィルター（赤色：Ｒ、緑色：Ｇ、青色：Ｂ）を配置し、カラーフィルターの外側に保護フィルムを形成することが開示され、特許文献２のカラーフィルターを用いた情報表示用パネルでは、透明電極付き透明基板の電極が形成された面とは反対の面にカラーフィルターを画素よりも小さい面積で配置することによって、斜めから見たときでも混色を生じないようにすることを開示している。いずれの場合も透明基板としては液晶表示パネル用基板として汎用されている厚さ７００μｍ以上のガラス基板を用いているため、画素よりもかなり小面積のカラーフィルターとしなければ、上記した、斜めから見たときに生じる混色の問題が解消されず、カラーフィルター面積が小さすぎてカラーフィルター色を適正に表示できない場合があった。
【０００７】
また、上述した特許文献２に開示されているカラーフィルターを用いた情報表示用パネルでは、カラーフィルターの大きさをかなり小さくして、カラーフィルター（Ｒ、Ｇ、ＢＬ）間に間隔を十分にとることによって、斜めから見たときでも混色を生じないようにしているが、逆に、このようにカラーフィルターの大きさを小さくしすぎると正面から見た表示画像も斜めから見た表示画像もぼやけた鮮明でないものになってしまうという問題があった。
【０００８】
上記した、斜めから見たときに生じる混色の問題を解消するために、透明基板として厚さが７００μｍよりも薄い樹脂フィルム基板の適用が考えられるが、樹脂フィルム基板ではガラス基板に比べて水分透過性が大きく、薄い樹脂フィルム基板を透明基板としてその外側にカラーフィルターを配置する構成の情報表示用パネルでは、外部環境の水分が表示画面となる樹脂フィルム基板を介して情報表示用パネル内部に進入してくることを十分に抑制することができないという問題があった。
【０００９】
本発明の目的は、表示媒体を封止したパネルの観察側面の外側にカラーフィルターを配置した構成のカラー表示型情報表示用パネルにおける上述した問題点を解消して、斜め方向から見たときに生じる混色の問題を解決するとともに、外部環境からの水分進入を十分に抑制することができるカラー表示型情報表示用パネルを提供しようとするものである。
【課題を解決するための手段】
【００１０】
本発明のカラー表示型情報表示用パネルは、情報表示領域にカラーフィルターが形成された観察側カラーフィルター基板と、背面側基板とを対向配置した基板間空間の情報表示領域に表示媒体を封入し、前記表示媒体を電気的に駆動させて表示した情報をカラーフィルターを通してカラー認識できるようにしたカラー表示型情報表示用パネルにおいて、前記観察側カラーフィルター基板を、パネルの内側となる第１の透明シートとパネルの外側となる第２の透明シートとの間に、少なくとも隣接する他色カラーフィルター間にスペースを設けて形成したカラーフィルターを挟んだ構造の積層基板とし、前記第１の透明シートの厚さを１２５μｍ以下とするとともに、前記第１の透明シートからパネルの外側となる層に水分バリア機能層を少なくとも１層設けたことを特徴とするものである。
【００１１】
本発明のカラー表示型情報表示用パネルの好適例としては、前記観察側カラーフィルター基板が、前記第１の透明シートまたは前記第２の透明シートのいずれかにカラーフィルターを形成した後に、粘着材または接着材または熱融着材を介して貼り合わされた積層基板であること、前記第２の透明シートがガラスシートであって、このガラスシートが少なくとも前記第１の透明シートの外側に設けられる水分バリア機能層であること、前記水分バリア機能層が、組成式ＳｉＯｘで示される酸化ケイ素系化合物の透明薄膜または金属酸化物の透明薄膜であって、前記第１の透明シートの外側面または前記第２の透明シートの少なくとも一方の面に配置されていること、前記水分バリア機能層である組成式ＳｉＯｘで示される酸化ケイ素系化合物の透明薄膜または金属酸化物の透明薄膜が、前記第１の透明シートの外側面に、厚さ１μｍ以下で配置されていること、がある。
【発明の効果】
【００１２】
本発明によれば、情報表示領域にカラーフィルターが形成された観察側カラーフィルター基板と、背面側基板とを対向配置した基板間空間の情報表示領域に表示媒体を封入し、前記表示媒体を電気的に駆動させて表示した情報をカラーフィルターを通してカラー認識できるようにしたカラー表示型情報表示用パネルにおいて、前記観察側カラーフィルター基板を、パネルの内側となる第１の透明シートとパネルの外側となる第２の透明シートとの間に、少なくとも隣接する他色カラーフィルター間にスペースを設けて形成したカラーフィルターを挟んだ構造の積層基板とし、前記第１の透明シートの厚さを１２５μｍ以下とするとともに、前記第１の透明シートからパネルの外側となる層に水分バリア機能層を少なくとも１層設けたので、斜め方向から見たときに生じる混色の問題を解決するとともに、外部環境からの水分進入を十分に抑制することができるカラー表示型情報表示用パネルを得ることができる。
【００１３】
また、観察側カラーフィルター基板を、第１の透明シートまたは第２の透明シートのいずれかにカラーフィルターを形成した後に、粘着材または接着材または熱融着材を介して貼り合わされた積層基板としたので、少なくとも隣接する他色カラーフィルター間にスペースを設けてカラーフィルターを形成する方法の選択肢が広がり、インクジェット印刷、フレキソ印刷、グラビヤ印刷などの印刷法や、フォトリソグラフィー法などが適用できる。
【００１４】
さらに、第２の透明シートをガラスシートとすれば、このガラスシートが水分バリア機能層となるので、また、組成式ＳｉＯｘで示される酸化ケイ素系化合物の透明薄膜または金属酸化物の透明薄膜を前記第１の透明シートの外側面または前記第２の透明シートの少なくとも一方の面に配置すれば、この組成式ＳｉＯｘで示される酸化ケイ素系化合物の透明薄膜または金属酸化物の透明薄膜が水分バリア機能層となるので、外部環境からの水分進入を十分に抑制することができるカラー表示型情報表示用パネルを得ることができる。
【図面の簡単な説明】
【００１５】
【図１】（ａ）、（ｂ）はそれぞれ本発明のカラー表示型情報表示用パネルの原理的構成の一例を示す図である。
【図２】（ａ）、（ｂ）はそれぞれ本発明のカラー表示型情報表示用パネルの原理的構成の他の例を示す図である。
【図３】（ａ）、（ｂ）はそれぞれ本発明のカラー表示型情報表示用パネルの原理的構成のさらに他の例を示す図である。
【図４】本発明のカラー表示型情報表示用パネルの構成の一例を説明するための図である。
【図５】本発明のカラー表示型情報表示用パネルの構成の他の例を説明するための図である。
【図６】本発明のカラー表示型情報表示用パネルの構成のさらに他の例を説明するための図である。
【図７】本発明のカラー表示型情報表示用パネルの構成のさらに他の例を説明するための図である。
【図８】本発明のカラー表示型情報表示用パネルの構成のさらに他の例を説明するための図である。
【図９】本発明のカラー表示型情報表示用パネルの構成のさらに他の例を説明するための図である。
【図１０】斜め方向から見た時に発生する混色を説明するための一例の図である。
【図１１】斜め方向から見た時に発生する混色を説明するための他の一例の図である。
【図１２】斜め方向から見た時に発生する混色を説明するためのさらに他の一例の図である。
【図１３】（ａ）、（ｂ）はそれぞれ斜め方向から見た時に発生する混色を防止するためのカラーフィルターの構成を説明するための図である。
【図１４】（ａ）、（ｂ）はそれぞれ本発明のカラー表示型情報表示用パネルにおける１表示単位の一例を説明するための図である。
【図１５】（ａ）〜（ｃ）はそれぞれ本発明のカラー表示型情報表示用パネルにおける１表示単位の他の例を説明するための図である。
【図１６】（ａ）〜（ｃ）はそれぞれ本発明のカラー表示型情報表示用パネルの製造方法の一例を説明するための図である。
【図１７】（ａ）〜（ｃ）はそれぞれ本発明のカラー表示型情報表示用パネルの製造方法の他の例を説明するための図である。
【図１８】（ａ）〜（ｃ）はそれぞれ本発明のカラー表示型情報表示用パネルの製造方法のさらに他の例を説明するための図である。
【図１９】（ａ）〜（ｃ）はそれぞれ本発明のカラー表示型情報表示用パネルの製造方法のさらに他の例を説明するための図である。
【図２０】（ａ）〜（ｃ）はそれぞれ本発明のカラー表示型情報表示用パネルの製造方法のさらに他の例を説明するための図である。
【図２１】（ａ）〜（ｃ）はそれぞれ本発明のカラー表示型情報表示用パネルの製造方法のさらに他の例を説明するための図である。
【図２２】（ａ）〜（ｃ）はそれぞれ本発明のカラー表示型情報表示用パネルの製造方法のさらに他の例を説明するための図である。
【図２３】（ａ）〜（ｃ）はそれぞれ本発明のカラー表示型情報表示用パネルの製造方法のさらに他の例を説明するための図である。
【図２４】（ａ）〜（ｃ）はそれぞれ本発明のカラー表示型情報表示用パネルの製造方法のさらに他の例を説明するための図である。
【発明を実施するための形態】
【００１６】
まず、本発明のカラー表示型情報表示用パネルのうち、帯電性粒子を含んだ粒子群を表示媒体として用いる情報表示用パネルの一例について説明する。上記情報表示用パネルでは、対向する２枚の基板間の空間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１７】
本発明の対象となる情報表示用パネルのうち、帯電性粒子を含んだ粒子群を表示媒体として用いるカラー表示型情報表示用パネルの例を、図１（ａ）、（ｂ）〜図３（ａ）、（ｂ）に基づき説明する。
【００１８】
図１（ａ）、（ｂ）に示す例では、少なくとも光学的反射率および帯電性を有する粒子を含んだ粒子群として構成した光学的反射率と帯電特性とが異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、背面側基板１に設けた電極５（ＴＦＴ（薄膜トランジスタ）付き画素電極）と観察側カラーフィルター基板２（第１の透明シート２１、カラーフィルター１１Ｒ、１１Ｇ、１１ＢＬ、透明な貼り合わせ材２２、第２の透明シート２４から構成される）に設けた電極６（共通電極）とで形成する画素電極対間に電圧を印加することにより発生する電界に応じて、対向パネル基板間を垂直に移動させる。各画素の対応する観察側カラーフィルター基板２には、赤色カラーフィルター１１Ｒ、緑色カラーフィルター１１Ｇ、青色カラーフィルター１１ＢＬを設けている。ここでは、画素とセルとを１対１に対応させ、赤色カラーフィルター１１Ｒ、緑色カラーフィルター１１Ｇ、青色カラーフィルター１１ＢＬを画素に対応して形成し、ＲＧＢ３画素を１表示単位として表示を行っている。なお、１２は隔壁４と基板１とを接合するための接着剤である。
【００１９】
そして、図１（ａ）に示すように白色表示媒体３Ｗを観察者側に移動させて、赤色カラーフィルター１１Ｒ、緑色カラーフィルター１１Ｇ、青色カラーフィルター１１ＢＬをそれぞれ透過した合成光を観察者に視認させて白色の表示を行うか、あるいは、図１（ｂ）に示すように黒色表示媒体３Ｂを観察者側に移動させて黒色の表示を行っている。画素電極対とセルとを１対１に対応させマトリックス配置し、ドットマトリックス表示を行っている。なお、図１（ａ）、（ｂ）において、手前にある隔壁は省略している。
【００２０】
図２（ａ）、（ｂ）に示す例では、少なくとも光学的反射率および帯電性を有する粒子を含んだ粒子群として構成した光学的反射率と帯電特性とが異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、背面側基板１に設けた電極５（ストライプ電極）と観察側カラーフィルター基板２（第１の透明シート２１、カラーフィルター１１Ｒ、１１Ｇ、１１ＢＬ、透明な貼り合わせ材２２、第２の透明シート２４から構成される）に設けた電極６（ストライプ電極）とが対向直交交差して形成する画素電極対の間に電圧を印加することにより発生する電界に応じて、対向パネル基板間を垂直に移動させる。各画素に対応する観察側カラーフィルター基板２には、赤色カラーフィルター１１Ｒ、緑色カラーフィルター１１Ｇ、青色カラーフィルター１１ＢＬを設けている。ここでは、画素とセルとを１対１に対応させ、赤色カラーフィルター１１Ｒ、緑色カラーフィルター１１Ｇ、青色カラーフィルター１１ＢＬを画素に対応して形成し、ＲＧＢ３画素を１表示単位として表示を行っている。なお、１２は隔壁４と基板１とを接合するための接着剤である。
【００２１】
そして、図２（ａ）に示すように白色表示媒体３Ｗを観察者側に移動させて、赤色カラーフィルター１１Ｒ、緑色カラーフィルター１１Ｇ、青色カラーフィルター１１ＢＬをそれぞれ透過した合成光を観察者に視認させて白色の表示を行うか、あるいは、図２（ｂ）に示すように黒色表示媒体３Ｂを観察者側に移動させて黒色の表示を行っている。画素電極対とセルとを１対１に対応させマトリックス配置し、ドットマトリックス表示を行っている。なお、図２（ａ）、（ｂ）において、手前にある隔壁は省略している。
【００２２】
また、本例ではセル空間が気体（例えば空気）で満たされている帯電粒子気体中移動方式の情報表示用パネルの例を説明したが、気体の代わりに、絶縁液体を用いた帯電粒子液体中移動方式（電気泳動方式）の情報表示用パネルとすることもできる。この場合、図３に示すように、帯電性粒子を含んだ粒子群を表示媒体３Ｗ、３Ｂとして絶縁液体７とともにカプセル８内に封止した、セルを形成する隔壁４を設けない構成の帯電粒子液体中移動方式（電気泳動方式）の情報表示用パネルとすることもできる。
【００２３】
本発明のカラー表示型情報表示用パネルの特徴について
本発明のカラー表示型情報表示用パネルの特徴は、上述したカラー表示型情報表示用パネルにおいて、観察側カラーフィルター基板２を、パネルの内側となる第１の透明シートとパネルの外側となる第２の透明シートとの間に、少なくとも隣接する他色カラーフィルター間にスペースを設けて形成したカラーフィルターを挟んだ構造の積層基板とし、積層基板を構成する第１の透明シートの厚さを１２５μｍ以下の厚さとするとともに、第１の透明シートの外側に水分バリア層を設けた点にある。
【００２４】
本発明のカラー表示型情報表示用パネルではカラーフィルターを第１の透明シートと第２の透明シートとの間に挟んだ構成にするので、導電膜（電極）が形成された第１の透明シートの導電膜（電極）が形成されていない方の面に対してだけでなく、第２の透明シートの面に対してカラーフィルターを、インクジェット印刷やフレキソ印刷等の印刷法を用いたり、フォトリソグラフィー法を用いたりして形成したあと、第１の透明シートと第２の透明シートとを貼り合せることで観察側カラーフィルター基板（積層基板）を得ることができる。
【００２５】
また、本発明のカラー表示型情報表示用パネルでは、第１の透明シートのカラーフィルターと対向する面に水分バリア機能層を配置したり、第２の透明シートのカラーフィルターと対向する面に、あるいは第２の透明シートの両面に水分バリア機能層を配置したりできるので、予め水分バリア機能層が形成された第１の透明シートや第２の透明シートを採用して容易に前記第１シートの外側にカラーフィルターが配置された観察側カラーフィルター基板（積層基板）を得ることができる。
【００２６】
本発明のカラー表示型情報表示用パネルをドットマトリックス表示型にする場合の好適例として、三原色（Ｒ：赤色、Ｇ：緑色、Ｂ：青色、または、Ｃ：シアン色、Ｍ：マゼンタ色、Ｙ：黄色）の各３色のカラーフィルタを各画素に配置し、この３画素をもって、表示単位画素を構成する、あるいは、この３画素と隣接する別の、カラーフィルタを配置しない１画素との４画素をもって、表示単位画素を構成し、２×２の画素配列とすることがある。
【００２７】
本発明のカラー表示型情報表示用パネルをドットマトリックス表示型にする場合には、少なくとも他色カラーフィルター間には隙間を設けて配置すると、斜め方向から観察したときでも混色を発生しないようにできるので好ましい。この隙間は、画素を形成する電極と電極とのスペースＤＳ以上で、カラーフィルターが画素内に占める面積が５０％未満とならない範囲が好ましい。画素を形成する電極と電極とのスペースＤＳ未満の隙間では、斜め方向から観察したときに混色を発生する場合が起こってしまう不都合があり、カラーフィルターが画素内に占める面積が５０％未満となるくらいに隙間をとってしまうと、正面方向から観察したときでもぼやけたカラー画像しか見えなくなってしまう不都合がある。同色のカラーフィルターが画素を跨って連続に形成されても、言い換えれば、カラーフィルター間に隙間が設けられていなくても、斜め方向から観察したときに混色を発生することはない。従って、連続したストライプ状のカラーフィルターを配置することは好適であり、その場合に、フレキソ印刷やインクジェット印刷などの印刷法を採択することで連続した透明シートに、カラーフィルターを効率的に形成することができる。
【００２８】
観察側カラーフィルター基板（積層基板）を構成する第１の透明シートは、ポリエチレンテレフタレート（ＰＥＴ）、ポリエチレンナフタレート（ＰＥＮ）、ポリエーテルサルフォン（ＰＥＳ）などの樹脂シートやガラスシートのうち、厚さが１２５μｍ以下のものを用いる。一方の面に電極を構成する酸化インジウム錫（ＩＴＯ）や酸化インジウム亜鉛（ＩＺＯ）などの透明な導電膜を有し、もう一方の面に酸化ケイ素系化合物（ＳｉＯｘ）などの透明な水分バリア膜を有する透明シートを用いることもできる。第１の透明シートとして厚さが１２５μｍ以下のガラスシートを用いた場合、このガラスシート自体が透明な水分バリア層として機能するので、このガラスシート（第１の透明シート）自体が第１の透明シートの外側に配置された透明な水分バリア機能層となることもでき、このガラスシート（第１の透明シート）以外に透明な水分バリア機能層を設けない構成も本発明となる。
【００２９】
水分バリア機能層として第１の透明シートの外側に配置する層は、酸化ケイ素系化合物（Ｓｉ０ｘ）や酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）などの透明な金属酸化物系の薄膜が好適に用いられ、その厚さは、カラーフィルターと第１の透明シートとの間に配置する場合には１μｍ以下とすることが好ましいが、カラーフィルターの外側に配置する場合には、厚さに関して特に制限はない。これらの材料を、従来の薄膜形成技術に用いて所望の厚さの水分バリア機能層を形成することができる。また、第２の透明シートをガラスシートとする場合には、このガラスシートがカラーフィルターの保護層となるとともに、水分バリア層としても機能する。
【００３０】
第１の透明シートと第２の透明シートとを、カラーフィルターを挟んで貼り合わせるときには、透明な粘着材や透明な熱融着材、透明な接着材などを用いる。  粘着材、接着材としては市販品を利用することができ、透明性が高いアクリル樹脂系材料を主成分としたものが好ましく用いられる。熱融着材としては、１００〜１５０℃程度で軟化するか、あるいは、融ける無色透明樹脂が好適である。融ける温度が１５０℃を超えるものでは、この樹脂を融かすために付与する熱で、カラーフィルターを挟むように配置される第１の透明シートや第２の透明シートが白濁する等の不都合が発生する場合があるので、１００〜１５０℃の温度範囲で融ける無色透明樹脂で構成された熱融着材を用いることが好ましい。この無色透明な樹脂としては、例えば、エチレン−酢酸ビニル共重合体（ＥＶＡ）、ポリエステル、ポリプロピレン（ＰＰ）、ポリエチレン樹脂、ポリアミド樹脂、エチレン−アクリル酸エチル共重合樹脂（ＥＥＡ）など、１００℃〜１５０℃程度で軟化するか、あるいは、融けるものを好適に使用することができる。
【００３１】
第１の透明シートと第２の透明シートとの貼り合わせは、例えば、ケミテック製紫外線（ＵＶ光）硬化接着剤Ｕ１５４０Ｂを接着したい界面に配置後、メタルハライドランプにて１０００ｍＪ／ｃｍ２〜２０００ｍＪ／ｃｍ２のＵＶ光を照射して行うことができる。また、例えば、フレキソ印刷により、２段階硬化型接着剤（共立化学ワールドロック７９８Ｌ）を接着したい界面に印刷し、メタルハライドランプにて１０００ｍＪ／ｃｍ２〜２０００ｍＪ／ｃｍ２の紫外線光（ＵＶ光）を照射して行うことができるほか、前述した熱融着材を利用して、熱融着材を挟むように第１の透明シートと第２の透明シートとを対向させて、熱ローラを押し当てながら移動させて、加熱と圧力とを加える熱ラミネート法にて行なうこともできる。
【００３２】
情報表示用パネルの２枚のパネル基板間ギャップを確保するために設ける隔壁部分や、粒子群として構成した表示媒体を収納するセルを形成するために設ける隔壁部分を形成するときには、ドライフィルムレジスト材を用いたフォトリソグラフィー技術が好適に用いられる。一例として、アルフォＮＩＴ２（ニチゴーモートン社製）やＰＤＦ３００（新日鐵化学社製）をドライフィルムレジスト材として使用することができる。これらのドライフィルムレジスト材に各種顔料を配合しておけば、所望の色の隔壁とすることができる。
【００３３】
パネル基板間ギャップ確保用の隔壁部分の幅は、２０μｍ〜１００μｍの範囲とし、セル形成用の隔壁部分の幅は、５μｍ〜３０μｍの範囲とすることが好ましい。
【００３４】
情報表示領域に対向して配置する画素を構成する導電膜において、観察側カラーフィルター基板（積層基板）の情報表示領域に設ける透明導電膜材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられ、膜厚は、０．０１〜１０μｍの範囲で、好ましくは０．０５〜５μｍの範囲で形成する。１０μｍより厚いと、第１の透明シート厚を１２５μｍ以下にしても斜めから観察したときに混色が発生することがある不都合があり、０．０１μｍ未満の厚さでは電極としての電気抵抗が大きくなり所定の電界を形成するのに大きな電圧を印加する必要が出てくる不都合がある。
【００３５】
情報表示領域に対向して配置する画素を構成する導電膜において、背面基板側の情報表示領域に設ける導電膜材料は透明であってもよいし、透明でなくてもよく、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられ、膜厚は、０．０１〜１０μｍの範囲で、好ましくは０．０５〜５μｍの範囲で形成する。１０μｍより厚いと、表示媒体を構成する粒子が電極間に位置するようになったときに移動しにくくなる不都合があり、０．０１μｍ未満の厚さでは電極としての電気抵抗が大きくなり所定の電界を形成するのに大きな電圧を印加する必要が出てくる不都合がある。
【００３６】
電極などパネルの基板に設ける導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側パネル基板の情報表示領域以外および背面側パネル基板の情報表示領域以外に設ける導電膜の厚みは光透過性を考慮する必要はなく、導電性が確保できれば良いので電気抵抗が小さい金属材料が好ましく用いられる。
【００３７】
観察側パネル基板に設ける導電膜として好適なＩＴＯ等の金属酸化物系の透明導電性材料は、金属材料に比べて可とう性が小さい。観察側パネル基板の情報表示領域に設ける金属酸化物系の透明導電膜には、透明電極材中での断線防止のため、金属細線と併用することが好ましい。特に、透明導電膜をストライプ電極のようなライン状とする場合には、透明導電膜中で断線が発生しやすいのでその防止のため、金属細線と併用することが好ましい。この金属細線の幅は、１μｍ〜１０μｍとすれば表示視認性の妨げとならないので好ましい。背面側パネル基板に設ける導電膜は光透過性を考慮する必要がないので電気抵抗が小さく、可とう性にも優れた前記金属材料が好適に用いられる。
【００３８】
本発明のカラー表示型情報表示用パネルの構成について
図４〜図９はそれぞれ本発明のカラー表示型情報表示用パネルの構成の一例を説明するための図である。図４〜図９に示す例において、図１（ａ）、（ｂ）〜図３に示す例と同一の部材には同一の符号を付し、その説明を省略する。図４〜図９に示す例において、本発明のカラー表示型情報表示用パネルの特徴は、観察側カラーフィルター基板２の構造を各別の積層構造とし、カラーフィルター及び水分バリア機能層を形成した点にある。
【００３９】
図４および図５に示す例は、それぞれ、観察側カラーフィルター基板２のストライプ電極６と背面側基板１のストライプ電極５とが対向して形成する画素電極対を１ドットとする帯電粒子気中駆動型情報表示用パネルの一例を示している。図４に示す例では、観察側カラーフィルター基板２を、パネルの内側から、第１の透明シート２１、カラーフィルター１１Ｒ、１１Ｇ、１１ＢＬおよび透明な貼り合わせ材２２、水分バリア機能層２３および第２の透明シート２４を積層した積層構造としている。図４に示す例では、カラーフィルター１１Ｒ、１１Ｇ、１１ＢＬおよび透明な貼り合わせ材２２と第２の透明シート２４との間に水分バリア機能層２３を配置している。図５に示す例では、観察側カラーフィルター基板２を、パネルの内側から、第１の透明シート２１、水分バリア機能層２３、カラーフィルター１１Ｒ、１１Ｇ、１１ＢＬおよび透明な貼り合わせ材２２および第２の透明シート２４を積層した積層構造としている。図５に示す例では、カラーフィルター１１Ｒ、１１Ｇ、１１ＢＬおよび透明な貼り合わせ材２２と第１の透明シート２１との間に水分バリア機能層２３を配置している。ここでは、透明な貼り合わせ材として透明熱融着材を用いている。
【００４０】
図６および図７に示す例は、それぞれ、観察側カラーフィルター透明基板２の共通電極６と背面側基板１のＴＦＴ付き画素電極５とが対向して形成する画素電極対を１ドットとする帯電粒子気中駆動型情報表示用パネルの一例を示している。図６に示す例では、観察側カラーフィルター基板２を、パネルの内側から、第１の透明シート２１、第１の水分バリア機能層２３−１、カラーフィルター１１Ｒ、１１Ｇ、１１ＢＬおよび透明な貼り合わせ材２２、第２の水分バリア機能層２３−２、第２の透明シート２４を積層した積層構造としている。図６に示す例では、カラーフィルター１１Ｒ、１１Ｇ、１１ＢＬおよび透明な貼り合わせ材２２と第１の透明シート２１および第２の透明シート２４との間に、それぞれ、第１の水分バリア機能層２３−１および第２の水分バリア機能層２３−２を配置している。図７に示す例では、観察側カラーフィルター基板２を、パネルの内側から、第１の透明シート２１、カラーフィルター１１Ｒ、１１Ｇ、１１ＢＬおよび透明な貼り合わせ材２２、水分バリア機能層２３、第２の透明シート２４（水分バリア機能を有するガラスシート）を積層した積層構造としている。図７に示す例では、カラーフィルター１１Ｒ、１１Ｇ、１１ＢＬおよび透明な貼り合わせ材２２と第２の透明シート２４（ガラスシート）との間に水分バリア機能層２３を配置している。ここでは、透明な貼り合わせ材として透明粘着材を用いている。
【００４１】
図８および図９に示す例は、それぞれ、観察側カラーフィルター基板２の共通電極６と背面側基板１のＴＦＴ付き画素電極５とが対向して形成する画素電極対を１ドットとする帯電粒子絶縁液体中駆動型情報表示用パネルの一例を示している。図８に示す例では、観察側カラーフィルター基板２を、第１の透明シート２１、カラーフィルター１１Ｒ、１１Ｇ、１１ＢＬおよび透明な貼り合わせ材２２、第２の透明シート２４（水分バリア機能層も兼ねるガラスシート）を積層した積層構造としている。図８に示す例では、第２の透明シート２４をガラスシートとして水分バリア機能層をカラーフィルター１１Ｒ、１１Ｇ、１１ＢＬおよび透明な貼り合わせ材２２の外側に配置している。図９に示す例では、観察側カラーフィルター基板２を、パネルの内側から、第１の透明シート２１、第１の水分バリア機能層２３−１、カラーフィルター１１Ｒ、１１Ｇ、１１ＢＬおよび透明な貼り合わせ材２２、第２の水分バリア層２３−２、第２の透明シート２４、第３の水分バリア機能層２３−３を積層した積層構造としている。図９に示す例では、カラーフィルター１１Ｒ、１１Ｇ、１１ＢＬおよび透明な貼り合わせ材２２と第１の透明シート２１または第２の透明シート２４との間、および、第２の透明シート２４の外側に、それぞれ、第１の水分バリア機能層２３−１、第２の水分バリア機能層２３−２、第３の水分バリア機能層２３−３を配置している。ここでは、透明な貼り合わせ材として透明接着材を用いている。
【００４２】
次に、カラーフィルターを観察側パネル基板の外側に配置した場合に発生する混色の説明をするとともに、本発明のカラー表示型情報表示用パネルの１表示単位の説明及び本発明のカラー表示型情報表示用パネルの製造方法を順に説明する。
【００４３】
混色について
図１０、図１１、図１２および図１３（ａ）、（ｂ）はそれぞれ本発明のカラー表示型情報表示用パネルのように、カラーフィルターを観察側パネル基板の外側に配置した場合に起こる混色の説明（図１０、図１１、図１２）およびその混色を抑えるための本発明のカラー表示型情報表示用パネルにおけるカラーフィルターの構成（図１３（ａ）、（ｂ））を説明するための図である。
【００４４】
図１０〜図１３はそれぞれ斜め方向から見た時に発生する混色を説明するための図である。図１０〜図１３に示す例において、観察側の透明基板２００の屈折率をｎ、観察側の透明基板２００の厚さをｄ、隔壁４間の１画素の１辺の大きさをＬＳ、画素間の距離をＤＳ、カラーフィルターの端部と画素の端部との隙間をｔ、基板２００の垂直方向の軸に対する角度をθとしたとき、斜めθ方向から見た時の視野ずれＬは次式で求まる。
Ｌ＝［ｓｉｎ２θ／（ｎ２−ｓｉｎ２θ）］１／２
この視野ずれＬが少ないほど混色が少ないことがわかる。
【００４５】
混色について、図１０および図１１に示すように、観察側の透明基板２００の厚さｄが小さいほど視野ずれＬを小さくでき、斜め方向から見たときの混色を起こりにくくすることができる。また、図１２に示すように、観察側の透明基板２００の厚さｄを小さくするとともに、画素の大きさ（ＬＳ−ＤＳ）よりも小さくした小面積のカラーフィルターを設けて、視野ずれＬが隣接画素に掛からないようにすることで、さらに混色を起こしにくくすることができる。図１２に示す例では、観察する斜めθ方向に対して前方にあたるカラーフィルターの辺部分と画素の辺部分との間に隙間ｔを設けるようにして、画素内にカラーフィルターを形成した例を示している。図１２に示す場合のカラーフィルターの配置の一例を図１３（ａ）、（ｂ）にそれぞれ示す。図１３（ａ）に示すように、三原色カラーフィルター１１Ｒ、１１Ｇ、１１ＢＬをストライプ配置して、１表示単位を形成したり、図１３（ｂ）に示すように、三原色カラーフィルター１１Ｒ、１１Ｇ、１１ＢＬと無色カラーフィルター１１Ｔとを、２×２の４画素にドット配置して、１表示単位を構成したりすることができる。
【００４６】
１表示単位について
図１４（ａ）、（ｂ）および図１５（ａ）〜（ｃ）は、それぞれ、本発明のカラー表示型情報表示用パネルにおける１表示単位を説明するための図である。図１４（ａ）、（ｂ）および図１５（ａ）〜（ｃ）に示す例において、図４〜図９に示す例と同一の部材には同一の符号を付し、その説明を省略する。
【００４７】
図１４（ａ）、（ｂ）に示す例は、ストライプ電極５、６が対向して直交交差して形成する長方形画素に対応した３個の長方形セルを形成する隔壁４を設けた１表示単位の例を示している。図１４（ａ）、（ｂ）に示す例において、ストライプ電極５、６を直交交差させて形成した１個の電極対で構成した画素とカラーフィルター１１Ｒ、１１Ｇ、１１ＢＬとの間にスペースを設けている。また、水分バリア機能層２３を第２の透明シート２４とカラーフィルター１１Ｒ、１１Ｇ、１１ＢＬとの間に形成している。
【００４８】
図１５（ａ）〜（ｃ）に示す例は、ストライプ電極５、６が対向して直交交差して形成する正方形画素に対応した４個の正方形セルを形成する隔壁４を設けた１表示単位の例を示している。図１５（ａ）〜（ｃ）に示す例において、ストライプ電極５、６を直交交差させて形成した１個の電極対で構成した画素とカラーフィルター１１Ｒ、１１Ｇ、１１ＢＬ、１１Ｔとの間にスペースを設けている。また、第２の透明シート２４を水分バリア機能を有するガラスシートで形成することで、第２の透明シート２４が水分バリア機能層を兼ねている。なお、図１４（ａ）、（ｂ）および図１５（ａ）〜（ｃ）に示す例において、２５は背面側基板１のストライプ電極５と隔壁４との間を接合するための接着剤である。
【００４９】
本発明のカラー表示型情報表示用パネルの製造方法について
次に、本発明のカラー表示型情報表示用パネルの製造方法を、ＳｉＯｘ、ＩＴＯ等の金属酸化物からなる水分バリア機能層２３を用いる第１実施例、水分バリア機能を有するガラスシートからなる第２の透明シート２４を用いる第２実施例、の順番で説明する。
【００５０】
製造方法１について
以下、図１６（ａ）〜（ｃ）、図１７（ａ）〜（ｃ）、図１８（ａ）〜（ｃ）、図１９（ａ）〜（ｃ）、図２０（ａ）〜（ｃ）および図２１（ａ）〜（ｃ）に従って、本発明のカラー表示型情報表示用パネルの製造方法１の一例を説明する。なお、上述したいずれの例においても、図４〜図９に示した例と同一の部材には同一の符号を付し、その説明を省略する。
【００５１】
図１６（ａ）〜（ｃ）はそれぞれ本発明のカラー表示型情報表示用パネルの製造方法１の一例を説明するための図である。図１６（ａ）〜（ｃ）に従って本発明のカラー表示型情報表示用パネルの製造方法を説明すると、まず、図１６（ａ）に示すように、透明な酸化ケイ素系化合物（ＳｉＯｘ）からなる水分バリア機能層２３を有する第２の透明シート２４（樹脂シートまたはガラスシート）の上に、印刷法またはフォトリソ法でカラーフィルター１１Ｒ、１１Ｇ、１１ＢＬを形成する。その際、各カラーフィルター間に隙間、具体的には、画素間スペース（隔壁の幅が対応）ＤＳに、画素との間隙ｔを合わせたＤＳ＋２ｔの隙間を設ける。次に、図１６（ｂ）に示すように、カラーフィルター１１Ｒ、１１Ｇ、１１ＢＬの上に透明な鉢合わせ材２２を配置して、隔壁４および透明電極６が形成された第１の透明シート２１に貼り合わせる。次に、図１６（ｃ）に示すように、表示媒体３Ｗ、３Ｂが配置されるセルの位置とカラーフィルター１１Ｒ、１１Ｇ、１１ＢＬの位置との位置合わせをした後、透明な貼り合わせ材２２を利用して貼り合わせることにより、観察側カラーフィルター基板２を得ることができる。その後、表示媒体３Ｗ、３Ｂを隔壁４間に配置し、電極５付き背面側基板１と隔壁４とを接合することで、本発明のカラー表示型情報表示用パネルを得ることができる。なお、図１６（ａ）〜（ｃ）に示す例では、第２の透明シート２４がカラーフィルター保護層の役目も果たしている。
【００５２】
図１７（ａ）〜（ｃ）はそれぞれ本発明のカラー表示型情報表示用パネルの製造方法１の他の例を説明するための図である。図１７（ａ）〜（ｃ）に従って本発明のカラー表示型情報表示用パネルの製造方法を説明すると、まず、図１７（ａ）に示すように、裏側に透明電極６と隔壁４を有するとともに表側に透明な酸化ケイ素系化合物（ＳｉＯｘ）からなる水分バリア機能層２３を有する第１の透明シート２１の上に、印刷法またはフォトリソ法でカラーフィルター１１Ｒ、１１Ｇ、１１ＢＬを形成する。その際、各カラーフィルター間に隙間、具体的には、画素間スペース（隔壁の幅が対応）ＤＳに、画素との間隙ｔを合わせたＤＳ＋２ｔの隙間を設ける。次に、図１７（ｂ）に示すように、カラーフィルター１１Ｒ、１１Ｇ、１１ＢＬの上に透明な貼り合わせ材２２を配置して第２の透明シート２４と貼り合わせる。これにより、図１７（ｃ）に示すように、観察側カラーフィルター基板２を得ることができる。その後、表示媒体３Ｗ、３Ｂを隔壁４間に配置し、電極５付き背面側基板１と隔壁４とを接合することで、本発明のカラー表示型情報表示用パネルを得ることができる。なお、図１７（ａ）〜（ｃ）に示す例では、第２の透明シート２４がカラーフィルター保護層の役目も果たしている。
【００５３】
図１８（ａ）〜（ｃ）はそれぞれ本発明のカラー表示型情報表示用パネルの製造方法１のさらに他の例を説明するための図である。図１８（ａ）〜（ｃ）に従って本発明のカラー表示型情報表示用パネルの製造方法を説明すると、まず、図１８（ａ）に示すように、裏側に透明電極６および隔壁４を形成した第１の透明シート２１の表面上に、印刷法またはフォトリソ法でカラーフィルター１１Ｒ、１１Ｇ、１１ＢＬを形成する。その際、各カラーフィルター間に隙間、具体的には、画素間スペース（隔壁の幅が対応）ＤＳに、画素との間隙ｔを合わせたＤＳ＋２ｔの隙間を設ける。次に、図１８（ｂ）に示すように、カラーフィルター１１Ｒ、１１Ｇ、１１ＢＬの上に透明な貼り合わせ材２２を配置して、透明な酸化インジウム錫（ＩＴＯ）からなる水分バリア機能層２３を有する第２の透明シート２４を貼り合わせる。これにより、図１８（ｃ）に示すように、観察側カラーフィルター基板２を得ることができる。その後、表示媒体３Ｗ、３Ｂを隔壁４間に配置し、電極５付き背面側基板１と隔壁４とを接合することで、本発明のカラー表示型情報表示用パネルを得ることができる。なお、図１８（ａ）〜（ｃ）に示す例では、第２の透明シート２４がカラーフィルター保護層の役目も果たしている。
【００５４】
図１９（ａ）〜（ｄ）はそれぞれ本発明のカラー表示型情報表示用パネルの製造方法１のさらに他の例を説明するための図である。図１９（ａ）〜（ｃ）に従って本発明のカラー表示型情報表示用パネルの製造方法を説明すると、まず、図１９（ａ）に示すように、水分バリア機能を有する透明なガラスシートである第２の透明シート２４の上に印刷法またはフォトリソ法でカラーフィルター１１Ｒ、１１Ｇ、１１ＢＬを形成する。次に、図１９（ｂ）に示すように、カラーフィルター層３１の上に透明な貼り合わせ材２２を配置するとともに、第１の透明シート２１となる透明樹脂シートの一方の面に透明電極６および隔壁４を形成し、その裏面と透明な貼り合わせ材２２とを対向させる。次に、図１９（ｃ）に示すように、表示媒体が配置される位置とカラーフィルター位置との位置合わせをした後、透明な貼り合わせ材２２と第１の透明シート２１とを貼り合わせる。最後に、表示媒体をセル内に充填させた状態で、電極５を設けた背面側基板１と隔壁４とを接着剤を介して貼り合わせることで、本発明のカラー表示型情報表示用パネルを得ることができる。ここでは、透明な貼り合わせ材として透明な粘着材を用いた。
【００５５】
図２０（ａ）〜（ｃ）はそれぞれ本発明のカラー表示型情報表示用パネルの製造方法１のさらに他の例を説明するための図である。図２０（ａ）〜（ｃ）に従って本発明のカラー表示型情報表示用パネルの製造方法を説明すると、まず、図２０（ａ）に示すように、第１の透明シート２１となる透明樹脂シートの一方の面に透明電極６および隔壁４が形成された基板のもう一方の表面上に一様に、透明な貼り合わせ材２２を配置し、その上に印刷法でカラーフィルター１１Ｒ、１１Ｇ、１１ＢＬを形成する。次に、図２０（ｂ）に示すように、水分バリア機能を有する透明なガラスシートである第２の透明シート２４を準備し、カラーフィルター１１Ｒ、１１Ｇ、１１ＢＬと対向させる。次に、図２０（ｃ）に示すように、第２の透明シート２４と第１の透明シート２１とを透明な貼り合わせ材２２により貼り合わせる。このとき貼り合わせ材２２は流動して、カラーフィルター１１Ｒ、１１Ｇ、１１ＢＬと第２の透明シート２４との界面に回り込むので、前記４者が一体となった積層体となる。最後に、表示媒体をセル内に充填させた状態で、電極５を設けた背面側基板１と隔壁４とを接着剤を介して貼り合わせることで、本発明のカラー表示型情報表示用パネルを得ている。ここでは、透明な貼り合わせ材として透明な熱融着材を用いた。
【００５６】
図２１（ａ）〜（ｃ）はそれぞれ本発明のカラー表示型情報表示用パネルの製造方法１のさらに他の例を説明するための図である。図２１（ａ）〜（ｃ）に従って本発明のカラー表示型情報表示用パネルの製造方法を説明すると、まず、図２１（ａ）に示すように、裏側に透明電極６および隔壁４が形成された第１の透明シート２１となる透明樹脂シートの表面上に、印刷法でカラーフィルター１１Ｒ、１１Ｇ、１１ＢＬを形成する。次に、図２１（ｂ）に示すように、第２の透明シート２４となり、水分バリア機能を有する透明なガラスシートの一方の面に一様に透明な貼り合わせ材２２を配置し、カラーフィルター１１Ｒ、１１Ｇ、１１ＢＬと対向させる。次に、図２１（ｃ）に示すように、第２の透明シート２４と第１の透明シート２１とを透明な貼り合わせ材２２により貼り合わせる。このとき貼り合わせ材２２は流動してカラーフィルター１１Ｒ、１１Ｇ、１１ＢＬの隙間に入り込み、前記４者が一体となった積層体となる。最後に、表示媒体をセル内に充填させた状態で、電極５を設けた背面側基板１と隔壁４とを接着剤を介して貼り合わせることで、本発明のカラー表示型情報表示用パネルを得ている。ここでは、透明な貼り合わせ材として透明な接着材を用いた。
【００５７】
製造方法２について
以下、図２２（ａ）〜（ｃ）、図２３（ａ）〜（ｃ）および図２４（ａ）〜（ｃ）に従って、本発明のカラー表示型情報表示用パネルの製造方法２の一例を説明する。なお、上述したいずれの図においても、図４〜図９に示した例と同一の部材には同一の符号を付し、その説明を省略する。
【００５８】
図２２（ａ）〜（ｃ）はそれぞれ本発明のカラー表示型情報表示用パネルの製造方法２の一例を説明するための図である。図２２（ａ）〜（ｃ）に従って本発明のカラー表示型情報表示用パネルの製造方法を説明すると、まず、図２２（ａ）に示すように、透明な酸化ケイ素系化合物（ＳｉＯｘ）からなる水分バリア機能層２３を有する第２の透明シート２４の上に、印刷法またはフォトリソ法でカラーフィルター１１Ｒ、１１Ｇ、１１ＢＬを形成する。次に、図２２（ｂ）に示すように、カラーフィルター１１Ｒ、１１Ｇ、１１ＢＬの上に透明な貼り合わせ材２２を配置して、第１の透明シート２１を観察側に設けた情報表示用パネル前駆体３１に貼り合わせる。これにより、図２２（ｃ）に示すように、本発明のカラー表示型情報表示用パネルを得ることができる。なお、図２２（ａ）〜（ｃ）に示す例では、第２の透明シート２４がカラーフィルター保護層の役目も果たしている。ここでは、透明な貼り合わせ材として透明な粘着材を用いた。
【００５９】
図２３（ａ）〜（ｃ）はそれぞれ本発明のカラー表示型情報表示用パネルの製造方法２の他の例を説明するための図である。図２３（ａ）〜（ｃ）に従って本発明のカラー表示型情報表示用パネルの製造方法を説明すると、まず、図２３（ａ）に示すように、透明な貼り合わせ材２２を有する第２の透明シート２４の上に、印刷法でカラーフィルター１１Ｒ、１１Ｇ、１１ＢＬを形成する。次に、図２３（ｂ）に示すように、カラーフィルター１１Ｒ、１１Ｇ、１１ＢＬおよび透明な貼り合わせ材２２を有する第２の透明シート２４に、第１の透明シート２１および透明な酸化ケイ素系化合物（ＳｉＯｘ）からなる水分バリア機能層２３を観察側パネル基板の外側に設けた情報表示用パネル前駆体３１に貼り合わせる。これにより、図２３（ｃ）に示すように、本発明のカラー表示型情報表示用パネルを得ることができる。なお、図２３（ａ）〜（ｃ）に示す例では、第２の透明シート２４がカラーフィルター保護層の役目も果たしている。ここでは、透明な貼り合わせ材として透明な熱融着材を用いた。
【００６０】
図２４（ａ）〜（ｃ）はそれぞれ本発明のカラー表示型情報表示用パネルの製造方法２のさらに他の例を説明するための図である。図２４（ａ）〜（ｃ）に従って本発明のカラー表示型情報表示用パネルの製造方法を説明すると、まず、図２４（ａ）に示すように、第２の透明シート２４となり、水分バリア機能を有する透明ガラスシートの上に、透明な貼り合わせ材２２を一様に配置した上に印刷法でカラーフィルター１１Ｒ、１１Ｇ、１１ＢＬを形成する。次に、図２４（ｂ）に示すように、カラーフィルター１１Ｒ、１１Ｇ、１１ＢＬの位置を、情報表示用パネル前駆体３１の画素の位置と整合するように位置決めする。最後に、図２４（ｃ）に示すように、第２の透明シート２４と、情報表示用パネル前駆体３１を構成している第１の透明シート２１とを貼り合わせることで、本発明のカラー表示型情報表示用パネルを得ている。貼り合わせ材として熱融着材を用いた貼り合わせでは、熱ローラを貼り合わせる方のシート面に押し当てながら水平移動するようにして行うラミネート法が好ましく用いられる。熱によって流動性を得た熱融着材が貼り合わせ界面に空気層を残すことなくむらなく行き渡り、硬化後には光透過性のよい透明膜となり界面接着材として機能する。
【実施例】
【００６１】
以下、本発明のカラー表示型情報表示用パネルの具体例を第１実施例および第２実施例の順に説明するが、本発明は、以下に限定されるものではない。実施例のカラー表示型情報表示用パネルは、いずれも以下に示す黒色表示媒体と白色表示媒体をパネル基板間に空気とともに封止した構成で、パネル基板に配置した電極が対向して形成する電極対を介して表示媒体に電界を付与して、表示媒体を空気中で移動させる方式のものとした。
【００６２】
（黒色表示媒体）
メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させ、（アクリル系及びメタクリル系）樹脂−炭化水素系樹脂ブロックコポリマー（モディパーＦ６００：日本油脂製）５重量部を溶解させた後、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径９．２μｍの正帯電性黒色粒子群を得た。実施例では、この黒色粒子群を黒色表示媒体として用いた。
【００６３】
（白色表示媒体）
ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＭＲ−１０：日本ニュ−マチック工業）を用いて溶融球状化して得た、平均粒子径が、９．５μｍの負帯電性の白色粒子群を得た。実施例では、この白色粒子群を白色表示媒体として用いた。
【００６４】
＜第１実施例＞
以下に示す第１実施例に係る実施例１〜９および比較例１〜２では、一方の面に、電極パターニングしたＩＴＯ膜付きの第１の透明シートの外側に赤（Ｒ）、青（Ｂ）、緑（Ｇ）３色のカラーフィルターを形成し、その外側に、第２の透明シートとして水分バリア機能を有するガラスシートを貼り合せた構成のカラー表示型情報表示用パネルを作製し、テストパターンを表示させた画面を正面方向から観察した場合と、斜め４５°の方向から観察した場合とで表示画像がどのように観察できるかを目視で評価した。また、テストパターンの表示とテストパターンの消去とを、温度３０℃、湿度８５％ＲＨの環境下で繰り返す表示書換え試験を実施してその耐久性を評価した。背面側パネル基板には７００μｍ厚のガラス基板を用い、観察側パネル基板と背面側パネル基板を貼り合せたパネルの側面周囲には市販のシール材（エポキシ樹脂を主成分としたシール材）を配置して２枚のパネル基板間は完全に封止して水分バリア性を持たせた。
【００６５】
＜実施例１＞
電極パターニングしたＩＴＯ膜付き透明ＰＥＴシート（厚さ：１２５μｍ、屈折率：１．６５）の、１００ｎｍ厚のＩＴＯ膜上に、基板間隔を５０μｍに保持し、２００μｍ×３００μｍのマトリックス状開口部を有する隔壁（リブ）を３０μｍ幅で形成し、ＩＴＯ膜が形成された面とは反対側の面の隔壁で囲まれた領域に対応する位置中央部に、カラーフィルターをフレキソ（凸版）印刷法で８０μｍ幅のライン状に形成して、赤（Ｒ）、青（Ｂ）、緑（Ｇ）３色のカラーフィルターを、２００μｍの画素辺に対して両側に４０μｍの隙間を有するカラーフィルターとなるように形成した。フレキソインクの光開始剤にはチバスペシャリティケミカルズのイルガキュア１８４を用いた。このフレキソインクを用いて、ＰＥＴシート上に順次ストライプ状のカラーフィルターを印刷した。アニロックスロールには５００線のものを使用し、膜厚が１．５μｍとなるように調整した。
【００６６】
また、一方の面に透明なアクリル系粘着材（ＳＫダイン１８１１Ｌ：綜研化学（株）製）が配置された透明ガラスシート（厚さ：７００μｍ）をカラーフィルターの上に重ねて貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００６７】
＜実施例２＞
電極パターニングしたＩＴＯ膜付き透明ＰＥＴシート（厚さ：１２５μｍ、屈折率：１．６５）の、１００ｎｍ厚のＩＴＯ膜上に、基板間隔を５０μｍに保持し、２００μｍ×３００μｍのマトリックス状開口部を有する隔壁（リブ）を３０μｍ幅で形成し、ＩＴＯ膜が形成された面とは反対側の面の隔壁で囲まれた領域に対応する位置中央部に、カラーフィルターをフレキソ（凸版）印刷法で８０μｍ幅のライン状に形成して、赤（Ｒ）、青（Ｂ）、緑（Ｇ）３色のカラーフィルターを、２００μｍの画素辺に対して両側に４０μｍの隙間を有するカラーフィルターとなるように形成した。フレキソインクの光開始剤にはチバスペシャリティケミカルズのイルガキュア１８４を用いた。このフレキソインクを用いて、ＰＥＴシート上に順次ストライプ状のカラーフィルターを印刷した。アニロックスロールには５００線のものを使用し、膜厚が１．５μｍとなるように調整した。
【００６８】
また、一方の面にエチレン−酢酸ビニル共重合体（ＥＶＡ）膜が膜厚５μｍで形成された透明ガラスシート（厚さ：７００μｍ）をカラーフィルターの上に重ねた後１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００６９】
＜実施例３＞
電極パターニングしたＩＴＯ膜付き透明ＰＥＴシート（厚さ：１２５μｍ、屈折率：１．６５）の、１００ｎｍ厚のＩＴＯ膜上に、基板間隔を５０μｍに保持し、１０００μｍ×１０００μｍのマトリックス状開口部を有する隔壁（リブ）を７０μｍ幅で形成し、ＩＴＯ膜が形成された面とは反対側の透明ＰＥＴシート面の画素に対応する領域の位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には画素サイズに対して隙間がゼロとなるようにしてカラーフィルターを設けた。
【００７０】
なお、インクジェット法においては、インク滴のサイズをターゲットであるカラーフィルター層形成領域のサイズにあわせて制御することが好ましいので、１０００μｍ×１０００μｍのマトリックス状開口部（画素）に対して、６〜３０ピコリットルに制御したインク滴とすることで画素サイズと同じ面積のカラーフィルターを形成した。カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。
【００７１】
また、一方の面にエチレン−酢酸ビニル共重合体（ＥＶＡ）膜が膜厚５μｍで形成された透明ガラスシート（厚さ：７００μｍ）をカラーフィルターの上に重ねた後１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００７２】
＜実施例４＞
電極パターニングしたＩＴＯ膜付き透明ＰＥＴシート（厚さ：２５μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対してほとんど同じ大きさでカラーフィルターを設けた。このとき画素周囲とカラーフィルター周囲との間の隙間はほとんどゼロで少なくとも画素の周囲を越えることなく僅かに隙間を残すようにカラーフィルターを設けた。なお、インクジェット法においては、インク滴のサイズをターゲットであるカラーフィルター層形成領域のサイズにあわせて制御することが好ましいので、１００μｍ×１００μｍのマトリックス状開口部（画素）に対して、６〜３０ピコリットルに制御したインク滴とすることで画素サイズの１００μｍ×１００μｍを超えない大きさのカラーフィルターを形成した。
【００７３】
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。また、一方の面に透明なアクリル系粘着材（ＳＫダイン１８１１Ｌ：綜研化学（株）製）が配置された透明ガラスシート（厚さ：７００μｍ）をカラーフィルターの上に重ね、ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００７４】
＜実施例５＞
電極パターニングしたＩＴＯ膜付き透明ＰＥＴシート（厚さ：５０μｍ、屈折率：１．６５）の、ＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面の隔壁で囲まれた領域に対応する位置中央部に、カラーフィルター材をインクジェット方式で形成して、４色（赤：Ｒ、緑：Ｇ、青：ＢＬ、透明：Ｔ）が２×２で配置されたカラーフィルターを作製した。各カラーフィルターの周囲には隔壁で囲まれた画素サイズに対して１０μｍの隙間を設けた。
【００７５】
また、一方の面にエチレン−酢酸ビニル共重合体（ＥＶＡ）膜が膜厚５μｍで形成された透明ガラスシート（厚さ：７００μｍ）をカラーフィルターの上に重ねた後１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００７６】
＜実施例６＞
電極パターニングしたＩＴＯ膜付き透明ＰＥＴシート（厚さ：１００μｍ、屈折率：１．６５）の、ＩＴＯ膜上に、基板間隔を５０μｍに保持し、３００μｍ×３００μｍのマトリックス状開口部を有する隔壁（リブ）を２０μｍ幅で形成した。
【００７７】
また、一方の面にエチレン−酢酸ビニル共重合体（ＥＶＡ）膜が膜厚５μｍで形成された透明ガラスシート（厚さ：７００μｍ）のＥＶＡ膜の上に、ＩＴＯ膜付きＰＥＴシート側の画素領域中央部に対応する位置にカラーフィルター材をインクジェット方式で形成して、４色（赤：Ｒ、緑：Ｇ、青：Ｂ、透明：Ｔ）が２×２で、各カラーフィルターの周囲には画素サイズに対して４０μｍの隙間をもって配置された透明ガラスシートを作製した後、この透明ガラスシートのカラーフィルター面を、ＩＴＯ膜付きＰＥＴシート面に対して重ねた後１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００７８】
＜実施例７＞
一方の面にＩＴＯ膜が電極パターニングされた透明ＰＥＴシート（厚さ：５０μｍ、屈折率：１．６５）の、１００ｎｍ厚のＩＴＯ膜上に、基板間隔を５０μｍに保持し、１００μｍ×３００μｍのマトリックス状開口部を有する隔壁（リブ）を２０μｍ幅で形成し、ＩＴＯ膜が形成された面とは反対側の透明ＰＥＴシート面に透明なアクリル系粘着材（ＳＫダイン１８１１Ｌ：綜研化学（株）製）を膜厚５μｍで形成し、その粘着材層上の隔壁で囲まれた領域に対応する位置中央部に、カラーフィルター材をフレキソ（凸版）印刷法で８０μｍ幅のライン状に形成して、赤（Ｒ）、青（Ｂ）、緑（Ｇ）３色のカラーフィルターを、１００μｍの画素辺に対して両側に１０μｍの隙間を有するカラーフィルターとなるように形成した。
【００７９】
フレキソインクの光開始剤にはチバスペシャリティケミカルズのイルガキュア１８４を用いた。このフレキソインクを用いて、ＰＥＴ基板上に順次ストライプ状のカラーフィルターを印刷した。アニロックスロールには５００線のものを使用し、膜厚が１．５μｍとなるように調整した。
【００８０】
また、透明ガラスシート（厚さ：７００μｍ）を前記ＰＥＴシート上に形成されたカラーフィルターの上に重ねた後押し圧を加えて貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００８１】
＜実施例８＞
電極パターニングしたＩＴＯ膜付き透明ＰＥＴシート（厚さ：５０μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面に膜厚５μｍのエチレン−酢酸ビニル共重合体（ＥＶＡ）膜を配置後、その上の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して１０μｍの隙間を設けた。
【００８２】
また、透明ガラスシート（厚さ：７００μｍ）を前記ＰＥＴシート上に形成されたカラーフィルターの上に重ねた後、１００℃で加熱するとともに平板で押し圧を加えて貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００８３】
＜実施例９＞
厚さ７００μｍのガラス基板上に２００μｍ×２００μｍのマトリックス状の画素を形成したＴＦＴ基板上に、基板間隔を５０μｍに保持し、２００μｍ×２００μｍのマトリックス状開口部を有する隔壁（リブ）を２０μｍ幅で形成した基板側のセル内に白色表示媒体とする白色粒子群と、黒色表示媒体とする黒色粒子群とを等体積量ずつ、合せてセル内の体積占有率が２５％となるように配置した後に、パターニングされていない１００ｎｍ厚のべたＩＴＯ膜付き透明ＰＥＴシート（厚さ：５０μｍ、屈折率：１．６５）を貼り合せて構成した情報表示用パネル前駆体を作製した。
【００８４】
また、透明ガラスシート（厚さ：７００μｍ）の一方の面の、情報表示用パネル前駆体の背面側ＴＦＴ基板上に形成された画素電極の領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して１０μｍの隙間が設けられるようにして形成したカラーフィルターの上に透明なアクリル系粘着材（ＳＫダイン１８１１Ｌ：綜研化学（株）製）を配置した後、ロールを用いたラミネート法で情報表示用パネル前駆体の観察側パネル基板に貼り合せて評価用の情報表示用パネルを作製した。
【００８５】
＜比較例１＞
電極パターニングしたＩＴＯ膜付き透明ガラスシート（厚さ：７００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成し、ＩＴＯ膜が形成された面とは反対側の透明ガラスシート面の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して６０μｍの隙間を設けた。なお、インクジェット法においては、インク滴のサイズをターゲットであるカラーフィルター層形成領域のサイズにあわせて制御することが好ましいので、５００μｍ×５００μｍのマトリックス状開口部（画素）に対して、６〜３０ピコリットルに制御したインク滴とすることで画素よりも小面積のカラーフィルターを形成した。
【００８６】
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。カラーフィルター層の上には何も設けずにカラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００８７】
＜比較例２＞
電極パターニングしたＩＴＯ膜付き透明ＰＥＴシート（厚さ：２５μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面の画素の中央部に対応する領域にカラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して隙間ができないようにして設けた。
【００８８】
さらに、カラーフィルターの上に透明なアクリル系粘着材（ＳＫダイン１８１１Ｌ：綜研化学（株）製）を配置した厚さ１００μｍの透明ＰＥＴシートを、ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００８９】
上述した第１実施例に係る実施例１〜９および比較例１〜２に対する測定結果を以下の表1に示す。
【００９０】
【表１】
2011095339.tif 000003
【００９１】
＜第２実施例＞
以下に示す第２実施例に係る実施例１１〜１８および比較例１１〜１４では、一方の面に、電極パターニングしたＩＴＯ膜付きの第１の透明シートの外側に赤（Ｒ）、青（Ｂ）、緑（Ｇ）３色のカラーフィルターを形成し、その外側に、第２の透明シートを貼り合せた構成のカラー表示型情報表示用パネルを作製し、テストパターンを表示させた画面を正面方向から観察した場合と、斜め４５°の方向から観察した場合とで表示画像がどのように観察できるかを目視で評価した。また、テストパターンの表示とテストパターンの消去とを、温度３０℃、湿度８５％ＲＨの環境下で繰り返す表示書換え試験を実施してその耐久性を評価した。背面側パネル基板には７００μｍ厚のガラス基板を用い、観察側パネル基板と背面側パネル基板を貼り合せたパネルの側面周囲には市販のシール材（エポキシ樹脂を主成分としたシール材）を配置して２枚のパネル基板間は完全に封止して水分バリア性を持たせた。
【００９２】
＜実施例１１＞
電極パターニングしたＩＴＯ膜付き透明ポリエチレンテレフタレート（ＰＥＴ）シート（厚さ：１２５μｍ、屈折率：１．６５）の、１００ｎｍ厚のＩＴＯ膜上に、基板間隔を５０μｍに保持し、２００μｍ×３００μｍのマトリックス状開口部を有する隔壁（リブ）を３０μｍ幅で形成し、ＩＴＯ膜が形成された面とは反対側の面の隔壁で囲まれた領域に対応する位置中央部に、カラーフィルターをフレキソ（凸版）印刷法で８０μｍ幅のライン状に形成して、赤（Ｒ）、青（Ｂ）、緑（Ｇ）３色のカラーフィルターを、２００μｍの画素辺に対して両側に４０μｍの隙間を有するカラーフィルターとなるように形成した。フレキソインクの光開始剤にはチバスペシャリティケミカルズのイルガキュア１８４を用いた。このフレキソインクを用いて、ＰＥＴシート上に順次ストライプ状のカラーフィルターを印刷した。アニロックスロールには５００線のものを使用し、膜厚が１．５μｍとなるように調整した。
【００９３】
また、一方の面に酸化インジウム錫（ＩＴＯ）膜が膜厚５００ｎｍで形成された透明ＰＥＴシート（厚さ：１２５μｍ）を透明なアクリル系粘着材（ＳＫダイン１８１１Ｌ：綜研化学（株）製）を用いてカラーフィルターの上にローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００９４】
＜実施例１２＞
電極パターニングしたＩＴＯ膜付き透明ポリエチレンテレフタレート（ＰＥＴ）シート（厚さ：１２５μｍ、屈折率：１．６５）の、１００ｎｍ厚のＩＴＯ膜上に、基板間隔を５０μｍに保持し、２００μｍ×３００μｍのマトリックス状開口部を有する隔壁（リブ）を３０μｍ幅で形成し、ＩＴＯ膜が形成された面とは反対側の面の隔壁で囲まれた領域に対応する位置中央部に、カラーフィルターをフレキソ（凸版）印刷法で８０μｍ幅のライン状に形成して、赤（Ｒ）、青（Ｂ）、緑（Ｇ）３色のカラーフィルターを、２００μｍの画素辺に対して両側に４０μｍの隙間を有するカラーフィルターとなるように形成した。フレキソインクの光開始剤にはチバスペシャリティケミカルズのイルガキュア１８４を用いた。このフレキソインクを用いて、ＰＥＴ基板上に順次ストライプ状のカラーフィルターを印刷した。アニロックスロールには５００線のものを使用し、膜厚が１．５μｍとなるように調整した。
【００９５】
また、酸化ケイ素化合物（ＳｉＯｘ）膜が膜厚１μｍで形成された透明ＰＥＴシート（厚さ：１２５μｍ）のＳｉＯｘ膜の上に、透明なエチレン−酢酸ビニル共重合体（ＥＶＡ）膜を膜厚５μｍで形成した後、カラーフィルターの上に重ねながら１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【００９６】
＜実施例１３＞
電極パターニングしたＩＴＯ膜付き透明ポリエチレンテレフタレート（ＰＥＴ）シート（厚さ：１２５μｍ、屈折率：１．６５）の、１００ｎｍ厚のＩＴＯ膜上に、基板間隔を５０μｍに保持し、１０００μｍ×１０００μｍのマトリックス状開口部を有する隔壁（リブ）を７０μｍ幅で形成し、ＩＴＯ膜が形成された面とは反対側の透明ＰＥＴシート面に、カラーフィルター材をインクジェット方式で形成して、４色（赤：Ｒ、緑：Ｇ、青：Ｂ、透明：Ｔ）が２×２で配置されたカラーフィルターを作製した。
【００９７】
なお、インクジェット法においては、インク滴のサイズをターゲットであるカラーフィルター層形成領域のサイズにあわせて制御することが好ましいので、１０００μｍ×１０００μｍのマトリックス状開口部（画素）に対して、６〜３０ピコリットルに制御したインク滴とすることで画素サイズと同じ面積のカラーフィルターを形成した。
【００９８】
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。
【００９９】
また、一方の面に酸化ケイ素化合物（ＳｉＯｘ）膜が膜厚１μｍで形成された透明ＰＥＴシート（厚さ：１２５μｍ）を透明なアクリル系粘着材（ＳＫダイン１８１１Ｌ：綜研化学（株）製）を用いてカラーフィルターの上にローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１００】
＜実施例１４＞
電極パターニングしたＩＴＯ膜付き透明ポリエチレンテレフタレート（ＰＥＴ）シート（厚さ：２５μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対してほとんど同じ大きさでカラーフィルターを設けた。このとき画素周囲とカラーフィルター周囲との間の隙間はほとんどゼロで少なくとも画素の周囲を越えることなく僅かに隙間を残すようにカラーフィルターを設けた。なお、インクジェット法においては、インク滴のサイズをターゲットであるカラーフィルター層形成領域のサイズにあわせて制御することが好ましいので、１００μｍ×１００μｍのマトリックス状開口部（画素）に対して、６〜３０ピコリットルに制御したインク滴とすることで画素サイズの１００μｍ×１００μｍを超えない大きさのカラーフィルターを形成した。
【０１０１】
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。
【０１０２】
また、一方の面に酸化ケイ素化合物（ＳｉＯｘ）膜が膜厚１μｍで形成された透明ＰＥＴシート（厚さ：１２５μｍ）を透明なアクリル系粘着材（ＳＫダイン１８１１Ｌ  綜研化学(株)製）を用いてカラーフィルターの上にローラを用いたラミネート法で貼り合せて積層構造の観察側カラーフィルター基板を得た。セル内に白色表示媒体とする白色粒子群と、黒色表示媒体とする黒色粒子群とを等量ずつ、合せてセル内の体積占有率が２５％となるように充填後に背面側パネル基板とする厚さ７００μｍのガラス基板と貼り合せて評価用の情報表示用パネルを作製した。
【０１０３】
＜実施例１５＞
電極パターニングしたＩＴＯ膜付き透明ポリエチレンテレフタレート（ＰＥＴ）シート（厚さ：１００μｍ、屈折率：１．６５）の、ＩＴＯ膜上に、基板間隔を５０μｍに保持し、３００μｍ×３００μｍのマトリックス状開口部を有する隔壁（リブ）を２０μｍ幅で形成した。
【０１０４】
また、一方の面に酸化ケイ素化合物（ＳｉＯｘ）膜が膜厚１μｍで形成された透明ＰＥＴシート（厚さ：１２５μｍ）のＳｉＯｘ膜の上の画素領域に対応する位置中央部に対応する位置に、画素サイズに対して４０μｍの隙間を設けて、カラーフィルター材をインクジェット方式で形成して、４色（赤：Ｒ、緑：Ｇ、青：Ｂ、透明：Ｔ）が２×２で配置されたカラーフィルターフィルムを作製した後、このカラーフィルターの上に透明なアクリル系粘着材（ＳＫダイン１８１１Ｌ  綜研化学(株)製）を配置して、ＩＴＯ膜付きＰＥＴシート側の面に対してローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１０５】
＜実施例１６＞
一方の面に酸化ケイ素化合物（ＳｉＯｘ）膜が膜厚１μｍで形成され、他方の面にＩＴＯ膜が電極パターニングされた透明ＰＥＴシート（厚さ：５０μｍ、屈折率：１．６５）の、１００ｎｍ厚のＩＴＯ膜上に、基板間隔を５０μｍに保持し、１００μｍ×３００μｍのマトリックス状開口部を有する隔壁（リブ）を２０μｍ幅で形成し、ＩＴＯ膜が形成された面とは反対側の透明ＰＥＴシート面のＳｉＯｘ膜上の隔壁で囲まれた領域に対応する位置中央部に、カラーフィルター材をフレキソ（凸版）印刷法で８０μｍ幅のライン状に形成して、赤（Ｒ）、青（Ｂ）、緑（Ｇ）３色のカラーフィルターを、１００μｍの画素辺に対して両側に１０μｍの隙間を有するカラーフィルターとなるように形成した。
【０１０６】
フレキソインクの光開始剤にはチバスペシャリティケミカルズのイルガキュア１８４を用いた。このフレキソインクを用いて、ＰＥＴ基板上に順次ストライプ状のカラーフィルターを印刷した。アニロックスロールには５００線のものを使用し、膜厚が１．５μｍとなるように調整した。
【０１０７】
また、透明ＰＥＴシート（厚さ：１２５μｍ）を透明なアクリル系粘着材（ＳＫダイン１８１１Ｌ：綜研化学（株）製）を用いてカラーフィルターの上にローラを用いたラミネート法で貼り合せて積層構造の観察側カラーフィルター基板を得た。セル内に白色表示媒体とする白色粒子群と、黒色表示媒体とする黒色粒子群とを等量ずつ、合せてセル内の体積占有率が２５％となるように充填後に背面側パネル基板とする厚さ７００μｍのガラス基板と貼り合せて評価用の情報表示用パネルを作製した。
【０１０８】
＜実施例１７＞
電極パターニングしたＩＴＯ膜付き透明ポリエチレンテレフタレート（ＰＥＴ）シート（厚さ：５０μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面に膜厚５μｍのエチレン−酢酸ビニル共重合体（ＥＶＡ）膜を配置後、その上の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して１０μｍの隙間を設けた。
【０１０９】
また、一方の面に酸化ケイ素化合物（ＳｉＯｘ）膜が膜厚１μｍで形成された透明ＰＥＴシート（厚さ：１２５μｍ）をカラーフィルターの上に重ねた後、１００℃で加熱するとともに押し圧を加える、熱ローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１１０】
＜実施例１８＞
厚さ７００μｍのガラス基板上に２００μｍ×２００μｍのマトリックス状の画素を形成したＴＦＴ基板上に、基板間隔を５０μｍに保持し、２００μｍ×２００μｍのマトリックス状開口部を有する隔壁（リブ）を２０μｍ幅で形成した基板側のセル内に白色表示媒体とする白色粒子群と、黒色表示媒体とする黒色粒子群とを等体積量ずつ、合せてセル内の体積占有率が２５％となるように配置した後に、パターニングされていない１００ｎｍ厚のべたＩＴＯ膜付き透明ＰＥＴシート（厚さ：５０μｍ、屈折率：１．６５）を貼り合せて構成した情報表示用パネル前駆体を作製した。
【０１１１】
また、一方の面に酸化ケイ素化合物（ＳｉＯｘ）膜が膜厚１μｍで形成された透明ＰＥＴシート（厚さ：１２５μｍ）のＳｉＯｘ膜の上に、情報表示用パネル前駆体の背面側ＴＦＴ基板上に形成された画素電極の領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して１０μｍの隙間が設けられるようにカラーフィルターを形成したカラーフィルターの上に透明なアクリル系粘着材（ＳＫダイン１８１１Ｌ：綜研化学（株）製）を配置した後、情報表示用パネル前駆体の観察側パネル基板にローラを用いたラミネート法で貼り合せて評価用の情報表示用パネルを作製した。
【０１１２】
＜比較例１１＞
電極パターニングしたＩＴＯ膜付き透明ガラスシート（厚さ：７００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成し、ＩＴＯ膜が形成された面とは反対側の透明ガラスシート面の隔壁で囲まれた領域に対応する位置中央部に、カラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して６０μｍの隙間を設けた。なお、インクジェット法においては、インク滴のサイズをターゲットであるカラーフィルター層形成領域のサイズにあわせて制御することが好ましいので、５００μｍ×５００μｍのマトリックス状開口部（画素）に対して、６〜３０ピコリットルに制御したインク滴とすることで画素よりも小面積のカラーフィルターを形成した。
【０１１３】
カラーフィルター材には、光硬化型カラーフィルター材（インク）を用いた。アクリル系モノマーには、共栄社（株）のＤＣＰ−Ａ（ジメチロールシクロデカンジ７クリレート）を用いた。光開始剤には、チバスペシャリティケミカルズのイルガキュア１８４を用いた。カラーフィルターの上には厚さ１００μｍの透明ＰＥＴシートを、透明なアクリル系粘着材（ＳＫダイン１８１１Ｌ：綜研化学（株）製）をローラを用いたラミネート法で貼り合せて積層構造の観察側カラーフィルター基板を得た。
【０１１４】
セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１１５】
＜比較例１２＞
電極パターニングしたＩＴＯ膜付き透明ガラスシート（厚さ：２００μｍ、屈折率：１．４７）の、１００ｎｍ厚のＩＴＯ膜上に、基板間隔を５０μｍに保持し、５００μｍ×５００μｍのマトリックス状開口部を有する隔壁（リブ）を５０μｍ幅で形成した。この隔壁を形成した面とは反対側の面の画素の中央部に対応する領域にカラーフィルター材をインクジェット方式で配置して、４色（赤：Ｒ、緑：Ｇ、青：Ｂ、透明：Ｔ）が２×２で配置されたカラーフィルターを作製した。作製されたカラーフィルターと画素との間には僅かに隙間ができる程度でほぼ隙間ゼロで画素と同面積のカラーフィルターを形成した。
【０１１６】
別に準備した透明ＰＥＴシート（厚さ：１２５μｍ）を透明なアクリル系粘着材（ＳＫダイン１８１１Ｌ：綜研化学（株）製）を用いてカラーフィルターの上にローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１１７】
＜比較例１３＞
電極パターニングしたＩＴＯ膜付き透明ＰＥＴシート（厚さ：２５μｍ、屈折率：１．６５）の、１００ｎｍ厚のＩＴＯ膜上に、基板間隔を５０μｍに保持し、１００μｍ×１００μｍのマトリックス状開口部を有する隔壁（リブ）を２０μｍ幅で形成し、ＩＴＯ膜が形成された面とは反対側の透明ＰＥＴシート面の画素の中央部に対応する領域にカラーフィルター材をインクジェット方式で形成して、４色（赤：Ｒ、緑：Ｇ、青：Ｂ、透明：Ｔ）が２×２で配置されたカラーフィルターを作製した。各カラーフィルターの周囲には隔壁で囲まれた画素サイズに対して隙間ができないようにして設けた。
【０１１８】
また、一方の面に透明なアクリル系粘着材（ＳＫダイン１８１１Ｌ：綜研化学（株）製）が配置された透明ＰＥＴシート（厚さ：１２５μｍ）をカラーフィルターの上に重ねてローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１１９】
＜比較例１４＞
電極パターニングしたＩＴＯ膜付き透明ガラスシート（厚さ：２００μｍ、屈折率：１．４７）の、１００ｎｍ厚のＩＴＯ膜上に、基板間隔を５０μｍに保持し、３００μｍ×３００μｍのマトリックス状開口部を有する隔壁（リブ）を１００μｍ幅で形成し、ＩＴＯ膜が形成された面とは反対側の透明ガラスシート面に、隔壁で囲まれた領域に対応する画素の中央部領域にカラーフィルター材をインクジェット方式で配置して、４色（赤：Ｒ、緑：Ｇ、青：Ｂ、透明：Ｔ）が２×２で配置されたカラーフィルターを作製した。作製されたカラーフィルターと画素との間には隙間が形成されないようにした。
【０１２０】
また、一方の面に透明なアクリル系粘着材（ＳＫダイン１８１１Ｌ：綜研化学（株）製）が配置された透明ＰＥＴシート（厚さ：１２５μｍ）をカラーフィルターの上に重ねてローラを用いたラミネート法で貼り合せて積層構造の観察側カラーフィルター基板を得た。セル内に白色表示媒体とする白色粒子群と、黒色表示媒体とする黒色粒子群とを等体積量ずつ、合せてセル内の体積占有率が２５％となるように充填後に背面側パネル基板とする厚さ７００μｍのガラス基板と貼り合せて評価用の情報表示用パネルを作製した。
【０１２１】
上述した第２実施例に係る実施例１１〜１８および比較例１１〜１４に対する測定結果を以下の表２に示す。
【０１２２】
【表２】
2011095339.tif 000004
【０１２３】
表１および表２に示したように、画素間スペースＤＳとカラーフィルターと画素との隙間ｔの合計ＤＳ＋ｔと、斜め４５°方向から見た時に生じる視野ずれＬとを比較したとき、ＤＳ＋ｔ＞Ｌとなっている実施例１〜９、実施例１１〜１８、比較例２、比較例１３の場合には、混色のない画像が観察できることが分かった（評価結果２）。
【０１２４】
また、表１および表２に示したように、カラーフィルターと画素との重なりが５０％以上あれば、実用上問題のない表示状態の画像が観察できることが分かった（評価結果１）。
【０１２５】
そして、表１および表２に示したように、少なくとも第１の透明シートの外側に水分バリア機能層を配置し、パネル側面（２枚のパネル基板の貼り合せ面）側およびパネル背面側から外部環境の水分が進入するのを防止するとともに、パネル観察面側からも外部環境の水分が進入するのを防止するようにすれば、高湿度の外部環境であってもパネル内部に外部環境の水分が進入するのを防止することができ、耐久性に優れたカラー表示型情報表示用パネルが得られることが分かった（評価結果３）。
【０１２６】
実施例のカラー表示型情報表示用パネルでは、背面側パネル基板にガラスシートを用いたので、カラー表示型情報表示用パネルとしてはフレキシブルではないが、背面側パネル基板にもフレキシブルな樹脂シートを採用して、該樹脂シートの少なくとも一方の面に本発明で適用した水分バリア機能層を設け、観察側カラーフィルター基板（積層基板）を構成する第１の透明シート、第２の透明シートおよび貼り合せ材にフレキシブルな材料を用いれば、水分バリア性を有するフレキシブルなカラー表示型情報表示用パネルとすることができる。
【産業上の利用可能性】
【０１２７】
本発明のカラー表示型情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（本発明に係る画素サイズの電界形成用画素電極対を有する外部電界形成手段を用いて書換えできるものや、外部の表示書換え手段に接続して情報を書き換えた後、接続を解放しても情報を表示したままにすることができるもの）としても好適に用いられる。
【符号の説明】
【０１２８】
１  背面側基板
２  観察側カラーフィルター基板
３Ｗ  白色表示媒体
３Ｗａ  負帯電性白色粒子
３Ｂ  黒色表示媒体
３Ｂａ  正帯電性黒色粒子
４  隔壁
５、６  電極
７  絶縁液体
８  カプセル
１１Ｒ  赤色カラーフィルター
１１Ｇ  緑色カラーフィルター
１１ＢＬ  青色カラーフィルター
２１  第１の透明シート
２２  透明な貼り合わせ材
２３  水分バリア機能層
２４  第２の透明シート
２５  接着剤
３１  情報表示用パネル前駆体
【図１】
2011095339.tif 000005
【図２】
2011095339.tif 000006
【図３】
2011095339.tif 000007
【図４】
2011095339.tif 000008
【図５】
2011095339.tif 000009
【図６】
2011095339.tif 000010
【図７】
2011095339.tif 000011
【図８】
2011095339.tif 000012
【図９】
2011095339.tif 000013
【図１０】
2011095339.tif 000014
【図１１】
2011095339.tif 000015
【図１２】
2011095339.tif 000016
【図１３】
2011095339.tif 000017
【図１４】
2011095339.tif 000018
【図１５】
2011095339.tif 000019
【図１６】
2011095339.tif 000020
【図１７】
2011095339.tif 000021
【図１８】
2011095339.tif 000022
【図１９】
2011095339.tif 000023
【図２０】
2011095339.tif 000024
【図２１】
2011095339.tif 000025
【図２２】
2011095339.tif 000026
【図２３】
2011095339.tif 000027
【図２４】
2011095339.tif 000028